(57)【特許請求の範囲】
【請求項１】
遊技機の前面に設けられるボタン式演出操作装置において、
前記遊技機の前記前面から前方に延出する基準部位より突出可能なボタン部を有する操作体と、
前記基準部位の前記ボタン部の突出側とは反対側にて前記操作体を進退可能に支持する駆動手段とを備えて、
当該駆動手段は、
カム部材と、前記操作体を進退可能に支持する従動部材とを備えて、
前記操作体を、初期段階には、前記カム部材をその回動に伴い従動部材から解離させて、バネ手段により前記基準部位から瞬時に突出させ、ついで、後段階にて、前記カム部材のさらなる回動に伴い、前記カム部材から延出する摺接部材により、前記従動部材を介し、前記初期段階よりも遅い速度にて、大きく突出させるようにしたことを特徴とする遊技機のためのボタン式演出操作装置。
【請求項２】
遊技機の前面に設けられるボタン式演出操作装置において、
前記遊技機の前記前面から前方に延出する基準部位より突出可能な筒状のボタン部と、バネを介し前記ボタン部を摺動可能に嵌装してなる柱部とを有する操作体と、
前記基準部位の前記ボタン部の突出側とは反対側にて前記操作体を進退可能に支持する駆動手段とを備え、
当該駆動手段は、
モータと、
このモータにより駆動されて回動するカム部材であってその外周部に円弧状カム壁部を形成してなるカム部材と、
このカム部材の前記円弧状カム壁部のカム面に沿う方向に前記カム部材から延出する摺接部材と、
前記柱部から前記基準部位を介し同軸的に延出する従動部材と、
前記基準部位と前記柱部との間に介装されて当該柱部を前記操作体の突出方向に向けて付勢するコイルスプリングとを備えて、
前記従動部材は、
その延出端側部位にて、前記カム部材の回動に伴う前記摺接部材の前記カム部材の軸を中心とする回動軌跡に応じて前記摺接部材と摺接しながら前記操作体の突出方向からその逆方向にかけて案内されるように湾曲状摺接面を形成されて、
この湾曲状摺接面による前記摺接部材との当接のもとに、前記操作体とともに、前記コイルスプリングを前記柱部により圧縮させるように原位置に維持され、
初期段階には、前記カム部材の一方向回動に伴う前記円弧状カム壁部のカム面の前記湾曲状摺接面からの解離に基づき、前記コイルスプリングにより前記基準部位から前記操作体とともに瞬時に突出し、
ついで、後段階にて、前記カム部材のさらなる一方向回動に伴い、前記摺接部材により前記湾曲状摺接面との摺接のもとに押動されて、前記初期段階よりも遅い速度にて、前記操作体とともに大きく突出するようにしたことを特徴とする遊技機のためのボタン式演出操作装置。
【請求項３】
前記従動部材は、前記後段階にて大きく突出した後、前記摺接部材により前記湾曲状摺接面との摺接のもとにさらに押動されて、前記柱部により前記コイルスプリングを圧縮しながら前記操作体とともに前記原位置に戻るようにしたことを特徴とする請求項２に記載の遊技機のためのボタン式演出操作装置。
【発明の詳細な説明】
【技術分野】
【０００１】
本発明は、パチンコ遊技機やスロットマシンなどの遊技機に係り、特に、当該遊技機において、遊技者等に対し、何らかの有利な遊技状態を期待させるために操作させるようにした遊技機のためのボタン式演出操作装置に関する。
【背景技術】
【０００２】
従来、この種の遊技機のうち、例えば、パチンコ遊技機においては、下記特許文献１に記載のボタン式演出操作装置が提案されている。このボタン式演出操作装置は、操作手段、筒状の案内手段及び移動駆動手段を備えており、その操作手段にて、遊技機本体に設けた上皿カバーの開口孔から操作ボタンを遊技機本体の前側へ露出させるようにして、上皿カバーの内部に設けられている。
【０００３】
そして、操作手段は、操作ボタンを遊技機本体の内部方向に退去させる退去位置から操作ボタンを遊技機本体の外部方向に上皿カバーの開口孔から突出させる突出位置へ或いはこの突出位置から上記退去位置へ筒状の案内手段に沿い摺動自在となるように当該案内手段により保持されている。
【０００４】
ここで、操作手段の操作ボタンは、移動駆動手段の通電に伴う駆動軸の前方への進出により上記退去位置から上記突出位置へ筒状の案内手段に沿い摺動し、また、移動駆動手段の通電停止に伴う駆動軸の後方への退去に応じて筒状の案内手段に沿い摺動するようになっている。
【０００５】
これにより、操作ボタンが上記突出位置に位置する状態において、遊技者が、操作ボタンをその前方から叩くことで、操作ボタンが付勢手段の弾性力に抗して移動駆動手段側へ変位したことを検出したときに、遊技者に対し何らかの有利な遊技状態を期待させる演出表示を行う。
【先行技術文献】
【特許文献】
【０００６】
【特許文献１】特許第３９８９２８７号公報
【発明の概要】
【発明が解決しようとする課題】
【０００７】
ところで、上記パチンコ遊技機においては、操作手段における操作ボタンの退去位置からの突出範囲が、案内手段により上記退去位置から上記突出位置までの範囲に規制されているため、操作ボタンの上皿カバーからの突出度合いが少ない。従って、操作ボタンがその突出により遊技者に訴える効果が低い。
【０００８】
このため、遊技者は、操作ボタンの突出を見逃しがちになったり、また、操作ボタンの突出に気がついても、突出した操作ボタンを叩こうとする意思を発揮させにくい。
【０００９】
これに対し、操作ボタンの上皿カバーからの突出度合いを増大させたとしても、当該操作ボタンの突出態様が、単調なものであれば、上述と同様に、操作ボタンがその突出により遊技者に訴える効果が低いことに変わりがない。
【００１０】
そこで、本発明は、以上のようなことに対処するため、ボタン部を２段階にて大きく突出させるように工夫を凝らし、当該ボタン部の突出を遊技者に対して強く認識させるようにした遊技機のためのボタン式演出操作装置を提供することを目的とする。
【課題を解決するための手段】
【００１１】
上記課題の解決にあたり、本発明は、請求項１の記載によれば、遊技機の前面に設けられるボタン式演出操作装置において、
遊技機の上記前面から前方に延出する基準部位（３３）より突出可能なボタン部（４１）を有する操作体（４０）と、
上記基準部位の上記ボタン部の突出側とは反対側にて操作体を進退可能に支持する駆動手段（５０）とを備えて、
当該駆動手段は、
カム部材（５４）と、操作体を進退可能に支持する従動部材（５１）とを備えて、
操作体を、初期段階には、カム部材（５４）をその回動に伴い従動部材（５１）から解離させて、バネ手段（５２）により上記基準部位から瞬時に突出させ、ついで、後段階にて、カム部材（５４）のさらなる回動に伴い、カム部材から延出する摺接部材（５５）により、従動部材（５１）を介し、上記初期段階よりも遅い速度にて、大きく突出させるようにしたことを特徴とする遊技機のためのボタン式演出操作装置である。
【００１２】
このような構成によれば、演出操作装置が、上述のごとく、バネ手段、カム部材、上記摺接部材及び従動部材の間の構成のもとに、操作体を、初期段階及び後段階という２段階に分けて大きく上動させるので、遊技者は、上述のようなボタン部の突出を強く認識することができる。
【００１３】
また、本発明は、請求項２の記載によれば、
遊技機の前面に設けられるボタン式演出操作装置において、
遊技機の上記前面から前方に延出する基準部位（３３）より突出可能な筒状のボタン部（４１）と、バネ（４２）を介し上記ボタン部を摺動可能に嵌装してなる柱部（４３）とを有する操作体（４０）と、
上記基準部位の上記ボタン部の突出側とは反対側にて操作体を進退可能に支持する駆動手段（５０）とを備え、
当該駆動手段は、
モータ（５３）と、
このモータにより駆動されて回動するカム部材であってその外周部に円弧状カム壁部（５４ｄ）を形成してなるカム部材（５４）と、
このカム部材の上記円弧状カム壁部のカム面に沿う方向に上記カム部材からから延出する摺接部材（５５）と、
上記柱部から上記基準部位を介し同軸的に延出する従動部材（５１）と、
上記基準部位と上記柱部との間に介装されて当該柱部を操作体の突出方向に向けて付勢するコイルスプリング（５２）とを備えて、
従動部材は、
その延出端側部位（５７、５８）にて、カム部材の回動に伴う摺接部材のカム部材の軸を中心とする回動軌跡に応じて摺接部材と摺接しながら操作体の突出方向からその逆方向にかけて案内されるように湾曲状摺接面（５７ａ〜５７ｃ、５８ｄ、５８ｆ）を形成されて、
この湾曲状摺接面による摺接部材との当接のもとに、操作体とともに、コイルスプリングを上記柱部により圧縮させるように原位置に維持され、
初期段階には、カム部材の一方向回動に伴う上記円弧状カム壁部のカム面の上記湾曲状摺接面からの解離に基づき、コイルスプリングにより上記基準部位から操作体とともに瞬時に突出し、
ついで、後段階にて、カム部材のさらなる一方向回動に伴い、摺接部材（５５）により上記湾曲状摺接面との摺接のもとに押動されて、上記初期段階よりも遅い速度にて、操作体とともに大きく突出するようにしたことを特徴とする遊技機のためのボタン式演出操作装置である。
【００１４】
これによれば、コイルスプリングを柱部により圧縮させるように操作体とともに原位置に維持されていた従動部材が、初期段階にて、カム部材の一方向回動に伴う円弧状カム壁部のカム面の湾曲状摺接面からの解離に応じて、コイルスプリングにより基準部位から操作体とともに瞬時に突出し、然る後、後段階にて、カム部材のさらなる一方向回動に伴い、摺接部材により湾曲状摺接面との摺接のもとに押動されて、初期段階よりも遅い速度にて、操作体とともに大きく突出する。
【００１５】
このため、ボタン部は２段階にて大きく突出するようになり、当該ボタン部の突出を遊技者に対して強く認識させることができる。
【００１６】
また、本発明は、請求項３の記載によれば、請求項２に記載の遊技機のためのボタン式演出操作装置において、
従動部材は、上記後段階にて大きく突出した後、摺接部材（５５）により上記湾曲状摺接面との摺接のもとにさらに押動されて、上記柱部によりコイルスプリングを圧縮しながら操作体とともに上記原位置に戻るようにしたことを特徴とする。
【００１７】
これにより、従動部材は、操作体とともに原位置に確実に戻ることができる。このとき、コイルスプリングは、柱部により基準部位上に圧縮された状態にある。
【００１８】
なお、上記各手段の括弧内の符号は、後述する実施形態に記載の具体的手段との対応関係を示す。
【図面の簡単な説明】
【００１９】
【図１】本発明に係るパチンコ遊技機の一実施形態を、ボタン式演出操作装置のボタン部の原位置との関係にて示す斜視図である。
【図２】上記一実施形態におけるボタン式演出操作装置のボタン部の上動終了位置との関係にて示す斜視図である。
【図３】上記一実施形態におけるボタン式演出操作装置の分解斜視図である。
【図４】上記一実施形態においてボタン部が原位置にあるときのボタン式演出操作装置の斜視図である。
【図５】上記一実施形態におけるボタン式演出操作装置を図４とは反対側から見たときの斜視図である。
【図６】上記一実施形態においてボタン部が原位置にあるときのボタン式演出操作装置の側面図である。
【図７】上記一実施形態においてボタン部が原位置にあるときのボタン式演出操作装置におけるカム部材と従動部材との位置関係を表した斜視図である。
【図８】上記一実施形態における従動部材の斜視図である。
【図９】上記一実施形態において従動部材を図８とは異なる角度から見たときの斜視図である。
【図１０】上記一実施形態におけるボタン式演出操作装置の電気回路構成を表すブロック図である。
【図１１】上記一実施形態においてボタン部が原位置にあるときのボタン式演出操作装置の前面図である。
【図１２】上記一実施形態においてボタン部が上動初期位置まで上動したときのボタン式演出操作装置の前面図である。
【図１３】上記一実施形態においてボタン部が上動初期位置から更なる上動を開始するときのボタン式演出操作装置の前面図である。
【図１４】上記一実施形態においてボタン部が上動終了位置まで上動したときのボタン式演出操作装置の前面図である。
【図１５】上記一実施形態においてボタン部が上動終了位置から下動を開始し、上動初期位置に対応する位置まで下動したときのボタン式演出操作装置の前面図である。
【図１６】上記一実施形態においてボタン部が原位置まで下動したときのボタン式演出操作装置の前面図である。
【発明を実施するための形態】
【００２０】
以下、本発明の一実施形態を図面により説明する。
【００２１】
図１は、本発明がパチンコ遊技機に適用されてなる一実施形態を示す。当該パチンコ遊技機は、パチンコホール内の設置島に立設されるものであり、このパチンコ遊技機は、図１に示すように、機枠Ｆ、遊技機本体Ｂ及び前扉Ｄにより構成されている。
【００２２】
遊技機本体Ｂは、その枠体（図示せず）により、機枠Ｆに対し、前後方向に開閉可能に支持されており、遊技機本体Ｂは、遊技盤（図示せず）及び操作ハンドル１０を備えている。
【００２３】
上記遊技盤は、前扉Ｄのガラス板２０（後述する）の裏面側に位置するように、遊技機本体Ｂに設けられており、当該遊技盤は、その遊技領域内に球発射装置（図示せず）からの遊技球を案内して上記遊技領域において下方に向けて転動させる。
【００２４】
操作ハンドル１０は、上記球発射装置（図示せず）の一構成部材として、遊技機本体Ｂの右側下部にその前面側から支持されており、この操作ハンドル１０は、遊技者による操作のもと、上記球発射装置に供給される遊技球を上記遊技盤の遊技領域内に向け発射するようになっている。なお、上記球発射装置は、遊技機本体Ｂの右側下部にその裏面側から取り付けられている。
【００２５】
前扉Ｄは、遊技機本体Ｂを介し機枠Ｆによって前後方向に開閉可能に支持されている。この前扉Ｄは、図１及び図２に示すように、矩形板状のガラス板２０及び球受け皿３０を備えている。ガラス板２０は、前扉Ｄの閉成時に上記遊技盤に対しその前側から対向して位置するように、前扉Ｄの開口部にその裏面側から組み付けられている。
【００２６】
球受け皿３０は、払い出されてきた賞球など遊技球を一旦貯留するように、前扉Ｄにおけるガラス板２０の下側部位から前方へ受け皿状に延出されており、当該球受け皿３０は、図１に示すように、外壁部材３０ａと、球収容部材３０ｂとにより構成されている。
【００２７】
外壁部材３０ａは、Ｕ字状外壁３１及び底壁３２からなるもので、Ｕ字状外壁３１は、前側壁部３１ａ及び左右両側壁部３１ｂでもってＵ字状に形成されている。底壁３２は、Ｕ字状外壁３１の下縁開口部を閉じるように、当該Ｕ字状外壁３１と一体的に形成されている。
【００２８】
そして、当該外壁部材３０ａは、Ｕ字状外壁３１の左右両側壁部３１ｂ及び底壁３２により、前扉Ｄにおけるガラス板２０の下側部位から前方へ延出するようにガラス板２０の下側部位に取り付けられている。これにより、外壁部材３０ａは、下側に向けて凹状となるように形成されて、Ｕ字状外壁３１の上縁部とガラス板２０の下側部位との間にて、上方へ開口する開口部を形成する。
【００２９】
球収容部材３０ｂは、環状上壁部３３と、凹状球収容部３４とを備えており、環状上壁部３３は、外壁部材３０ａの上記開口部に組付けられている。凹状球収容部３４は、周壁部３４ａと、この周壁部３４ａの下端開口部を閉じる底壁部３４ｂとでもって、下方に向けて凹状となるように形成されており、この凹状球収容部３４の周壁部３４ａは、環状上壁部３３の中空内周部から下方へ延出するように、環状上壁部３３と一体的に形成されている。
【００３０】
これにより、凹状球収容部３４は、外壁部材３０ａの内側に位置するように、環状上壁部３３により支持され、上方に向けて開口する。なお、球収容部材３０ｂは、凹状球収容部３４内に払い出される遊技球を当該凹状球収容部３４内にて一時的に貯留するとともに、当該貯留遊技球を、例えば、操作ハンドル１０の回動操作に伴い、上記発射装置に供給する。
【００３１】
また、前扉Ｄは、図１〜図５のいずれかに示すように、ボタン式演出操作装置Ｇを備えており、この演出操作装置Ｇは、そのボタン部４１を上下動可能に球受け皿３０から上方へ突出させるように、球受け皿３０内に支持されている。
【００３２】
演出操作装置Ｇは、図３に示すように、操作体４０及び駆動機構５０を備えており、操作体４０は、Ｌ字状補助壁部材３０ｃに配設された駆動機構５０により、Ｌ字状補助壁部材３０ｃを介し、球受け皿３０内において上下動可能に支持されている。
【００３３】
ここで、Ｌ字状補助壁部材３０ｃは、球受け皿３０内にてそのＵ字状外壁３１の前側壁部３１ａと球収容部材３０ｂの凹状球収容部３４との間に形成される空所内に立設されているもので、このＬ字状補助壁部材３０ｃは、外壁部材３０ａの底壁３２から上方に向け立設される立壁部３５と、この立壁部３５の上端部から前側へＬ字状に延出する上壁部３６とにより構成されている。なお、立壁部３５は、その壁面がＵ字状外壁３１の前側壁部３１ａに沿うように位置し、また、上壁部３６は、その壁面が球収容部材３０ｂの環状上壁部３３に平行となるように位置している。
【００３４】
操作体４０は、図３に示すように、ボタン部４１と、コイルスプリング４２と、円柱部４３とによって構成されている。ボタン部４１は、円筒状周壁部４１ａと、この周壁部４１ａと共に縦断面Ｕ字状となるように当該周壁部４１ａの上端開口部に一体的に形成した押打壁部４１ｂとを有しており、当該ボタン部４１は、押打壁部４１ｂを上側に、円筒状周壁部４１ａを下側にして、球収容部材３０ｂの環状上壁部３３に形成した貫通穴部３３ａに下方から同軸的に上下動可能に挿通されている。なお、押打壁部４１ｂは、上に凸な断面円弧壁状に形成されている。
【００３５】
また、ボタン部４１は、環状鍔部４１ｃを有しており、この環状鍔部４１ｃは、環状上壁部３３の貫通穴部３３ａの外周部に下方から当接するように、周壁部４１ａの下端開口部から半径方向へ外方に向け環状に突出形成されている。また、上述した貫通穴部３３ａは、図１及び図２に示すように、球収容部材３０ｂの環状上壁部３３の左右方向前側中間部位に形成されている。
【００３６】
円柱部４３は、ボタン部４１の周壁部４１ａ内にその下端開口部から同軸的にかつ摺動可能に嵌装されており、円柱部４３の上端部４３ａとボタン部４３の押打壁部４１ｂとの間にコイルスプリング４２が介装されている。換言すれば、円柱部４３は、その上端部４３ａとボタン部４３の押打壁部４１ｂとの間にてコイルスプリング４２を挟持している。これにより、円柱部４３はコイルスプリング４２の弾力によりボタン部４１の周壁部４１ａの下端開口部側へ付勢されている。
【００３７】
このように構成した操作体４０によれば、ボタン部４１が後述の下動端位置（原位置）にあるとき、当該ボタン部１１の押打壁部４１ｂは、図１及び図１１に示すように、球収容部材３０ｂの環状上壁部３３の貫通穴部３３ａの内部から上方を臨むように位置する。
【００３８】
一方、ボタン部４１が後述の上動端位置（上動終了位置）にあるとき、当該ボタン部１１の押打壁部４１ｂは、図２及び図１４に示すように、環状上壁部３３の貫通穴部３３ａから上方へ大きく突出して、環状鍔部４１ｃが環状上壁部３３の貫通穴部３３ａの外周部に下方から当接している。
【００３９】
駆動機構５０は、操作体４０を上動駆動或いは下動駆動すると共に、操作体４０を下動端位置（原位置）或いは上動端位置（上動終了位置）に保つものであり、この駆動機構５０は、Ｌ字状補助壁部材３０ｃに組み付けられている。
【００４０】
駆動機構５０は、従動部材５１と、コイルスプリング５２と、カム駆動用モータ５３と、カム部材５４と、ローラ５５とを備えている。
【００４１】
従動部材５１は、Ｌ字状補助壁部材３０ｃの立壁部３５に平行となるように、操作体４０の円柱部４３の下端部から、補助壁部材３０ｃの上壁部３６に形成した貫通穴部３６ａ及びコイルスプリング５２を順に通り、下方に向け延出されている。
【００４２】
この従動部材５１は、四角柱部５６と、四角板部５７と、アーム部５８とを備えている。四角柱部５６は、四角板部５７の上縁中央部から上方へ延出されている。当該四角柱部５６は、ボルト５６ａを有しており、このボルト５６ａは、四角柱部５６の上端部から上方へ同軸的に延出されている。ここで、このボルト５６ａは、その上端部にて、円柱部４３の下端部に形成した雌ねじ孔部に螺着されて、当該円柱部４３に同軸的に連結されている。
【００４３】
四角板部５７は、その板厚方向にて、Ｌ字状補助壁部材３０ｃの立壁部３５に直角となるように、四角薄板状にて、四角柱部５６の下端部と一体的に形成されている。
【００４４】
また、当該四角板部５７は、図８にて例示するごとく、四角柱部５６の下端部５６ｃから下方及び左右両方向へ一体的に延出されており、この四角板部５７は、その上端面にて補助壁部材３０ｃの上壁部３６に平行となっている。また、四角板部５７は、その下端面５７ａにて、補助壁部材３０ｃの上壁部３６に平行となっており、この四角板部５７の右端面５７ｂは、当該四角板部５７の上端面に直角となっている。ここで、当該四角板部５７において、下端面５７ａと右端面５７ｂとの間の交差面部５７ｃ（以下、円弧状交差面部５７ｃともいう）は、縦断面円弧状に形成されている。本実施形態では、下端面５７ａ、交差面部５７ｃ及び右端面５７ｂは、後述するアーム部５８の連結部５８ｂの内面５８ｆ及びアーム部５８の下縁部５８ｃの上面５８ｄと共に、ローラ５５による摺接可能な湾曲状摺接面を構成する。
【００４５】
アーム部５８は、四角柱部５６の下端部５６ｃと一体となってコ字状となるように構成されている。このアーム部５８は、図８にて例示するごとく、上縁部５８ａ、連結部５８ｂ及び下縁部５８ｃからなるもので、上縁部５８ａは、四角柱部５６の下端部５６ｃから四角板部５７の上面左側部に沿い図８にて例示するごとく左側へ延出されている。
【００４６】
連結部５８ｂは、上縁部５８ａ及び下縁部５８ｃと共に、コ字状を構成するように、上縁部５８ａ及び下縁部５８ｃの各左端部間に連結されている。
【００４７】
ここで、アーム部５８において、下縁部５８ｃは、その上面部５８ｄにて、上縁部５８ａの下端面部及び四角柱部５６の下端面部の下方にて、これら各下端面部に平行となるように位置しており、この下縁部５８ｃの上面部５８ｄは、その前縁側部位にて、四角板部５７の下端面５７ａに対し下方へ第１の所定上下方向間隔をおいて当該下端面５７ａに平行となっている。本実施形態において、上述の第１の所定上下方向間隔は、後述のように四角板部５７と下縁部５８ｃの前縁側部位との間に図８に図示右側からローラ５５を進入させるに要する間隔となっている。
【００４８】
また、下縁部５８ｃの上面部５８ｄは、その後縁側部位にて、四角板部５７の下端面部５７ａから後方へ延出されて上縁部５８ａの下端面部及び四角柱部５６の下端面部の各後縁側部位に第２の所定上下方向間隔をおいて対向している。本実施形態において、当該第２の所定上下方向間隔は、後述のように上縁部５８ａの下端面部及び四角柱部５６の下端面部の各後縁側部位と下縁部５８ｃの後縁側部位との間に図８にて図示右側からカム部材５４の円弧壁部５４ｄを進入させるに要する間隔となっている。また、本実施形態では、下縁部５８ｃの上面部５８ｄは、ローラ５５及びカム部材５４の円弧壁部５４ｄ（後述する）の双方と摺接する摺接面としての役割を果たす。
【００４９】
また、従動部材５１は、図８にて例示するごとく、第１の案内ピン５１ｃ及び第２の案内ピン５１ｄを有しており、第１の案内ピン５１ｃは、四角柱部５６の下端部からその後面５６ｄ（Ｌ字状補助壁部材３０ｃの立壁部３５側の面）側へ突出されている。一方、第２の案内ピン５１ｄは、アーム部５８の連結部５８ｂの上下方向中間部位からその後面５８ｇ側へ突出されている。ここで、第２の案内ピン５１ｄは、図８にて例示するごとく、第１の案内ピン５１ｃの左側斜め下方に位置する。
【００５０】
第１及び第２の案内ピン５１ｃ及び５１ｄは、それぞれ、その各先端部にて、Ｌ字状補助壁部材３０ｃの立壁部３５に形成した各案内溝部３５ａ及び３５ｄ内に摺動可能に係合している。なお、第１及び第２の案内ピン５１ｃ及び５１ｄは、その各先端部にて、各ストップリング５１ｅ、５１ｆにより各案内溝部３５ａ、３５ｄに対し抜け止めされている。
【００５１】
ここで、各案内溝部３５ａ及び３５ｄは、Ｌ字状補助壁部材３０ｃの立壁部３５のうち従動部材５１の後面に対する対向部位に互いに平行となるように上下方向に長手状に形成されている。
【００５２】
これにより、従動部材５１は、第１及び第２の案内ピン５１ｃ、５１ｄにより各対応の案内溝部３５ａ、３５ｄに沿い案内されて、上動或いは下動する。
【００５３】
コイルスプリング５２は、円柱部４３を上方に向けて付勢するように、補助壁部材３０ｃの上壁部３６の貫通穴部３６ａの外周縁部と円柱部４３の下端部との間に同軸的に介装されている。これにより、コイルスプリング５２は、補助壁部材３０ｃの上壁部３６の貫通穴部３６ａの外周縁部から円柱部４３を操作体４０の突出方向に向けて付勢する役割を果たす。
【００５４】
カム駆動用モータ５３は、その出力軸５３ａにて、補助壁部材３０ｃの立壁部３５に形成された貫通穴部３５ｅに同軸的にかつ回転自在に挿通されており、このカム駆動用モータ５３は、そのモータ本体にて、立壁部３５の貫通穴部３５ｅの外周部に固着されている。なお、貫通穴部３５ｅは、図３にて示すごとく、案内溝部３５ａの下端部の左側斜め下方にて、立壁部３５に形成されている。また、カム駆動用モータ５３は、ステップモータにより構成されている。
【００５５】
カム部材５４は、図３にて例示するごとく、軸穴部５４ａを設けてなる扇形基板部５４ｂ及び円弧壁部５４ｄを有する。扇形基板部５４ｂは、その扇形基部に形成した軸穴部５４ａにて、従動部材５１の四角板部５７と補助壁部材３０ｃの立壁部３５との間に位置するように、カム駆動用モータ５３の出力軸５３ａの先端部に同軸的に支持されている。これにより、当該扇形基板部５４ｂは、カム駆動用モータ５３の回転に応じてこの回転方向に回転する。なお、扇形基板部５４ｂは、立壁部３５の前面３５ｂと、従動部材５１のアーム部５８の後面５８ｇとの間に位置するので、カム部材５４が回転する際、扇形基板部５４ｂが立壁部３５及び従動部材５１とは干渉しないようになっている。
【００５６】
また、円弧壁部５４ｄは、図３にて例示するごとく、扇形基板部５４ｂの扇形外周縁部からその前面５４ｃ側へ延出されている。これにより、扇形基板部５４ｂは、その回動に伴い、円弧壁部５４ｄを四角板部５７とアーム部５８の下縁部５８ｃとの間に進入させるように、四角柱部５６の下端部及びアーム部５８の上縁部５８ａとアーム部５８の下縁部５８ｃとの間に進入可能となっている。
【００５７】
ローラ５５は、カム部材５４の保持ピン５４ｆの先端部に回動自在にかつ同軸的に支持されており、このローラ５５は、両ストップリング５４ｈにより保持ピン５４ｆの先端部に抜け止めされている（図３参照）。
【００５８】
ここで、保持ピン５４ｆは、円弧基板部５４ｂの外周部のうち円弧壁部５４ｄの図３にて図示上側端部の近傍部位から円弧基板部５４ｂの前面５４ｆ側へ向け突出形成されている。なお、当該保持ピン５４ｆは、ローラ５５を円弧壁部５４ｄよりも前側（従動部材５１側）に位置させるように、円弧壁部５４ｄの円弧基板部５４ｂからの延出高さよりも長い軸長を有する。
【００５９】
上述のように構成されたローラ５５は、四角板部５７の円弧状交差面部５７ｃ及び下端面５７ａ並びにアーム部５８の下縁部５８ｃの上面５８ｄのいずれかに摺接可能に、四角板部５７の下端面５７ａ、円弧状交差面部５７ｃ及び右端面５７ｂと、アーム部５８の連結部５８ｂの内面５８ｆと、アーム部５８の下縁部５８ｃの上面５８ｄとにより形成される空間部内に進入可能となっている。
【００６０】
次に、当該ボタン式演出操作装置の電気回路構成である制御回路６０について図１０に基づき説明すると、この制御回路６０は、原位置センサＳ１、上動終了位置センサＳ２及び感圧センサＳ３と、マイクロコンピュータ６０ａと、駆動回路６０ｂとを備えている。
【００６１】
原位置センサＳ１及び上動終了位置センサＳ２は、それぞれ、フォトインタラプタからなるもので、原位置センサＳ１の発光部及び受光部は、補助壁部材３０ｃの立壁部３５の第１の案内溝３５ａの下端両側部又は第２の案内溝３５ｄの下端両側部に互いに対向して設けられている。これにより、従動部材５１の第１の案内ピン５１ｃ又は第２の案内ピン５１ｄが立壁部３５の第１の案内溝３５ａ（又は第２の案内溝３５ｄの下端部）にあるとき、当該原位置センサＳ１は、その発光部からの光に対する受光部による受光を第１の案内ピン５１ｃ（又は第２の案内ピン５１ｄ）により遮断ことにより、従動部材５１の下動端位置（原位置）への到達を検出する。このことは、操作体４０の原位置への到達に対する検出を意味する。
【００６２】
また、上動終了位置センサＳ２の発光部及び受光部は、立壁部３５の第１の案内溝３５ａの上端部（又は第２の案内溝３５ｄの上端部）に互いに対向して設けられている。これにより、従動部材５１の第１の案内ピン５１ｃ（又は第２の案内ピン５１ｄ）が立壁部３５の第１の案内溝３５ａの上端部（又は第２の案内溝３５ｄの上端部）に到達したとき、当該上動終了位置センサＳ２は、その発光部からの光に対する受光部による受光を第１の案内ピン５１ｃ（又は第２の案内ピン５１ｄ）により遮断することにより、従動部材５１の上動端位置（上動終了位置）への到達を検出する。このことは、操作体４０の上動終了位置への到達に対する検出を意味する。
【００６３】
感圧センサＳ３は、操作体４０の円柱部４３の突起部４３ｃ上に設けられている。ここで、突起部４３ｃは、ボタン部４１の環状鍔部４１ｃに対向するように、円柱部４３の下端部からその径方向へ外方に向け突出している。
【００６４】
これにより、この感圧センサＳ３は、ボタン部４１の押打操作による下動に伴い環状鍔部４１ｃにより押圧されて、ボタン部４１に対する押打操作を検出する。
【００６５】
マイクロコンピュータ６０ａは、コンピュータプログラムを実行し、この実行中において、原位置センサＳ１或いは上動終了位置センサＳ２の検出出力に基づき駆動回路６０ｂを介しカム駆動用モータ５３を駆動制御するに要する処理を行うとともに、感圧センサＳ３の検出出力に基づき、遊技者にとり有利な演出をするに要する処理を行う。
【００６６】
以上のように構成した本実施形態において、遊技者が当該パチンコ遊技機に対して遊技を行っているものとする。現時点において、演出操作装置Ｇでは、駆動機構５０の従動部材５１が、図１、図４〜図７及び図１１のいずれかにて示すように、原位置に維持された状態にあるものとする。
【００６７】
このとき、操作体４０のボタン部４１は、球受け皿３０の環状上壁部３３の貫通穴部３３ａから上方に臨む位置にある。また、カム部材５４の円弧壁部５４ｄは、その一側端部５４ｅにて、図１１にて示すように、モータ出力軸５３ａの直下に位置して、従動部材５１のアーム部５８の下縁部５８ｃの先端部にその上方から当接した状態に維持されている。これに伴い、コイルスプリング５２は、操作体４０の円柱部４３と補助壁部材３０ｃの上壁部３６のとの間にて圧縮状態に維持されている。
【００６８】
このような状態において、当該パチンコ遊技機の副制御装置から単打指令又は連打指令が出力されると、マイクロコンピュータ６０ａは、上記コンピュータプログラムの実行を開始し、カム駆動用モータ５３を回転させる処理を行う。このカム駆動用モータ回転処理では、カム駆動用モータ５３を一回転方向へ回転させるための信号を駆動回路６０ｃに出力する。このため、カム駆動用モータ５３は、駆動回路６０ｂにより駆動されて上記一回転方向へ回転する。
【００６９】
このようにカム駆動用モータ５３が上記一回転方向へ回転すると、カム部材５４は、カム駆動用モータ５３の出力軸５３ａを介して図１１にて図示位置から図示時計方向へ回転し、カム部材５４の円弧壁部５４ｄが、その端部５４ｅにて、従動部材５１のアーム部５８の下縁部５８ｃの先端部から離れる。
【００７０】
これに伴い、従動部材５１は、カム部材５４の円弧壁部５４ｄから開放されて上動可能な自由状態となる。このため、コイルスプリング５２が、その弾力のもとに瞬時に伸長して、操作体４０の円柱部４３を瞬時に押し上げる。従って、操作体４０は、図１２に示すように、瞬時に上動初期位置に向けて上動する。ここで、当該上動初期位置は、コイルスプリング５２の伸長によりボタン部４１をその上部にて球受け皿３０の環状上壁部３３の貫通穴部３３ａから上方へ突出させる上動位置をいう。
【００７１】
なお、従動部材５１は、第１の案内ピン５１ｃ及び第２の案内ピン５１ｄにより補助壁部材３０ｃの立壁部３５の第１の案内溝３５ａ及び第２の案内溝３５ｄに沿い案内されて上動するので、従動部材５１を、安定して上動させることができる。
【００７２】
その後、ローラ５５が、図１３にて示すように、従動部材５１の四角板部５７の交差面部５７ｃに当接すると、当該ローラ５５は、交差面部５７ｃに沿って転動しながら、四角板部５７を押し上げる。これに伴い、操作体４０は、上動初期位置から上動端位置（上動終了位置）に向けて上動する。
【００７３】
ここで、操作体４０が上動初期位置から上動終了位置まで上動する間、操作体４０は、上述と同様に、第１の案内ピン５１ｃ及び第２の案内ピン５１ｄにより第１の案内溝３５ａ及び第２の案内溝３５ｄに沿い案内される。このため、操作体４０は、安定して上動することができる。
【００７４】
操作体４０が上動端位置まで上動したとき、従動部材５１の第１の案内ピン５１ｃ（又は第２の案内ピン５１ｄ）は立壁部３５の第１の案内溝３５ａの上端部（又は第２の案内溝３５ｄの上端部）に達しているため、上動終了位置センサＳ２から検出信号が出力され、マイクロコンピュータ６０ａは、この検出出力に基づきカム駆動用モータ５３の回転を停止させるための信号を駆動回路６０ｂに出力する。これにより、カム駆動用モータ５３は回転を停止する。
【００７５】
このようにカム駆動用モータ５３が回転を停止したとき、図１４に示すように、ローラ５５は、モータ５３の回転軸５３ａの直上に位置して、従動部材５１の四角板部５７の交差面部５７ｃに隣接する下端面５７ａにその端部から当接する。このとき、操作体４０のボタン部４１は、その環状鍔部４１ｃにて、環状上壁部３３の貫通穴部３３ａの外周部に下方から当接して、環状上壁部３３の貫通穴部３３ａから外部へ最大限突出した状態となり、上動終了位置に位置することとなる。
【００７６】
このように操作体４０が上動終了位置にあるとき、遊技者がボタン部４１をその押打壁部４１ｂにて単打或いは連打すると、ボタン部４１が、コイルスプリング４２の弾性力に抗して下動し、環状鍔部４１ｃにて感圧センサＳ３を押圧する。このため、感圧センサＳ３がボタン部４１に対する単打或いは連打を検出して検出信号としてマイクロコンピュータ６０ａに出力する。これに伴い、マイクロコンピュータ６０ａは、単打或いは連打のあったことに基づき、副制御装置を制御する。これにより、この副制御装置は、遊技者にとって有利な演出を行うように所定の処理を実行する。
【００７７】
その後、副制御装置から単打終了指令又は連打終了指令が出力されると、マイクロコンピュータ６０ａは、カム駆動用モータ５３を回転させる処理を行う。このカム駆動用モータ回転処理では、カム駆動用モータ５３を一回転方向（上述した単打指令又は連打指令が出力されたときの回転方向と同一方向）へ回転させるための信号を駆動回路６０ｃに出力する。このため、カム駆動用モータ５３は、駆動回路６０ｂにより駆動されて一回転方向へ回転する。
【００７８】
このようにカム駆動用モータ５３が回転すると、カム部材５４は、カム駆動用モータ５３の出力軸５３ａを介して図１４にて図示状態から時計方向へ回転する。これに伴い、ローラ５５は、従動部材５１のアーム部５８の下縁部５８ｃの上面５８ｄに沿い転動しつつ当該下縁部５８ｃを押し下げていく。これに伴い、従動部材５１が下動し、操作体４０は、図１５に示すように、円柱部４３の下端面４３ｂにて、伸長状態にあるコイルスプリング５２と接触する位置まで下動する。
【００７９】
このように操作体４０の円柱部４３の下端面４３ｂがコイルスプリング５２と接触した後は、操作体４０の円柱部４３によりコイルスプリング５２をその弾力に抗して圧縮するように、従動部材５１はさらに下動する。
【００８０】
そして、ローラ５５が、図１６にて示すように、従動部材５１のアーム部５８の下縁部５８ｃの先端部に到達して、カム駆動用モータ５３の出力軸５３ａの直下に位置したとき、コイルスプリング５２は完全に圧縮され、操作体４０は下動端位置（原位置）に位置し、操作体４０のボタン部４１は、球受け皿３０の環状上壁部３３の貫通穴部３３ａから上方に臨むように位置する。なお、ローラ５５がカム駆動用モータ５３の出力軸５３ａの直下に位置するとき、カム部材５４の円弧壁部５４ｄは、その他側端部５４ｇにて、従動部材５１のアーム部５８の下縁部５８ｃにその先端部にて接触している。
【００８１】
このように操作体４０が下動端位置（原位置）まで下動したとき、従動部材５１の第１の案内ピン５１ｃ（又は第２の案内ピン５１ｄ）は立壁部３５の第１の案内溝３５ａの下端部（又は第２の案内溝３５ｄの下端部）に達しているため、原位置センサＳ１から検出信号が出力される。
【００８２】
このため、マイクロコンピュータ６０ａは、原位置センサＳ１からの検出信号に基づき、更に９０°だけカム駆動用モータ５３の出力軸５３ａを継続して回転させた後にカム駆動用モータ５３の回転を停止させるための信号を駆動回路６０ｂに出力する。しかして、カム部材５４は回転を継続し、カム部材５４の円弧壁部５４ｄは、従動部材５１のアーム部５８の下縁部５８ｃの先端部と当接しながら９０°回転し、円弧壁部５４ｄの一側端部５４ｅがアーム部５８の下縁部５８ｃの先端部と当接するようになったとき、カム駆動用モータ５３は回転を停止し、演出操作装置Ｇは、図１１に示すごとき状態に戻る。
【００８３】
ここで、操作体４０が図１４に示すごとき上動終了位置から図１１に示すごとき原位置まで下動する間、カム部材５４の円弧壁部５４ｄは、図７及び図１４に示すように、従動部材５１の四角柱部５６の下端面と、四角板部５７の後面５７ｄ（図７参照）と、アーム部５８の上縁部５８ａの下面５８ｅと、連結部５８ｂの四角板部５７側の内側面５８ｆと、下縁部５８ｃの上面５８ｄとを含んで形成される空間内に進入した状態で回転する。このため、円弧壁部５４ｄと従動部材５１との干渉は生じない。
【００８４】
以上説明したように、本実施形態に係るボタン式演出操作装置Ｇは、遊技機の球受け皿３０の環状上壁部３３に設けられた貫通穴部３３ａの内部から上方を臨む原位置に維持される操作体４０と、球受け皿３０の内部に組み付けられて原位置にある操作体４０を貫通穴部３３ａから外部へ突出させた上動終了位置まで上動駆動すると共に、この上動終了位置にある操作体４０を原位置まで下動駆動する駆動機構５０とを備える。
【００８５】
また、上述のごとく、球受け皿３０内にてＬ字状補助壁部材３０ｃに組み付けられている駆動機構５０は、カム部材５４と、このカム部材５４を一回転方向へ回転駆動するカム駆動用モータ５３と、カム部材５４に回転自在に支持されるローラ５５と、操作体４０の下方へ延出されてカム部材５４及びローラ５５により上動駆動或いは下動駆動される従動部材５１と、この従動部材５１に外方から嵌装されて操作体４０の円柱部４３とＬ字状補助壁部材３０ｃの上壁部３６との間に介装されるコイルスプリング５２とを備える。
【００８６】
そして、従動部材５１が操作体４０とともに原位置にあるとき、カム部材５４が従動部材５１を押し下げる状態に維持され、コイルスプリング５２は圧縮状態に維持されている。
【００８７】
このような状態にてカム部材５４がカム駆動用モータ５３により一回転方向へ回転すると、カム部材５４が従動部材５１を押し下げる状態から解放され、コイルスプリング５２が圧縮状態から解放されてその弾力により瞬時に伸長して操作体４０を上動初期位置まで上動させ、然る後、ローラ５５が上述のように従動部材５１を操作体４０と共に上動終了位置まで押し上げる。
【００８８】
以上のように、操作部４０を原位置から上動終了位置へと上動させる際、まず、カム部材５４が従動部材５１を押し下げる状態から解放され、圧縮状態にあったコイルスプリング５２が解放され伸長することに伴うコイルスプリング５２の弾力により、操作体４０は瞬時に原位置から上動初期位置へと上動し、引き続き、ローラ５５が従動部材５１を押し上げることにより操作体４０を上動初期位置から上動終了位置まで上動させる。このため、ボタン部４１は２段階にて大きく突出することとなり、その結果、ボタン部４１の突出を遊技者に対して強く認識させることができる。
【００８９】
また、操作体４０が上動終了位置にあるときにカム駆動用モータ５３によりカム部材５４を一回転方向へ回転させると、ローラ５５が上述のように従動部材５１を押し下げる。これに伴い、従動部材５１が操作体４０とともに上動初期位置まで下動した後は、ローラ５５がコイルスプリング５２の圧縮に伴う弾力に抗して従動部材５１を押し下げて、従動部材５１を操作体４０とともに原位置まで下動させるよう構成した。このため、操作体４０を上動終了位置から原位置へ下動させる過程でコイルスプリング５２を圧縮状態にすることができるため、コイルスプリング５２を別途の手段によって圧縮状態にする必要がなく、構成の簡素化を図ることができる。
【００９０】
なお、上記実施形態にて述べたローラ５５は、カム部材から延出する摺接部材であってもよい。
【符号の説明】
【００９１】
３３…環状上壁部、４０…操作体、４１…ボタン部、４２、５２…コイルスプリング、
４３…円柱部、５０…駆動機構、５１…従動部材、５３…カム駆動用モータ、
５４…カム部材、５４ｄ…円弧状カム壁部、５５…ローラ、５７…四角板部、
５７ａ…下端面、５７ｂ…右端面、５７ｃ…交差面部、５８…アーム部、
５８ｄ…上面、５８ｆ…内面。
【図１】
0005437884.tif 000002
【図２】
0005437884.tif 000003
【図３】
0005437884.tif 000004
【図４】
0005437884.tif 000005
【図５】
0005437884.tif 000006
【図６】
0005437884.tif 000007
【図７】
0005437884.tif 000008
【図８】
0005437884.tif 000009
【図９】
0005437884.tif 000010
【図１０】
0005437884.tif 000011
【図１１】
0005437884.tif 000012
【図１２】
0005437884.tif 000013
【図１３】
0005437884.tif 000014
【図１４】
0005437884.tif 000015
【図１５】
0005437884.tif 000016
【図１６】
0005437884.tif 000017